(57)【要約】【課題】複雑な電磁シールド構造を省略でき、電磁波ノイズの少ない携帯電話機を提供する。【解決手段】第１筐体１０１と第２筐体１０２との間を光信号により信号の伝送を行う光信号伝送部１００を有する。上記光信号伝送部１００から電磁波ノイズの発生がなく、携帯電話機全体の電磁波ノイズを極端に低減することができる。【選択図】図１Ａ
2007267358.tif 000002
【特許請求の範囲】
【請求項１】
表示パネルを有する第１筐体と、
操作パネルを有すると共に上記第１筐体に折り畳みまたは展開自在に連結された第２筐体と、
上記第１筐体と上記第２筐体との間を光信号により信号の伝送を行う光信号伝送部と
を備えることを特徴とする携帯電話機。
【請求項２】
請求項１に記載の携帯電話機において、
上記光信号伝送部の伝送速度は、４００Ｍｂｐｓ以上であることを特徴とする携帯電話機。
【請求項３】
請求項１に記載の携帯電話機において、
上記光信号伝送部は、
上記第１筺体または上記第２筺体の一方に配置され光信号を送信する光送信部と、
上記第１筺体または上記第２筺体の他方に配置され光信号を受信する光受信部と、
上記光送信部と上記光受信部とを光学的に結合するように上記第１筐体と上記第２筐体との間に架設された光伝送媒体と
を有し、
上記光送信部から送信された光信号は、上記光伝送媒体を介して、上記光受信部に受信されることを特徴とする携帯電話機。
【請求項４】
請求項３に記載の携帯電話機において、
上記光伝送媒体は、単芯プラスチック光ファイバーケーブルであることを特徴とする携帯電話機。
【請求項５】
請求項３に記載の携帯電話機において、
上記光伝送媒体は、多芯型のプラスチック光ファイバーケーブルであることを特徴とする携帯電話機。
【請求項６】
請求項３に記載の携帯電話機において、
上記光伝送媒体は、多芯型のガラスファイバーケーブルであることを特徴とする携帯電話機。
【請求項７】
請求項４ないし６の何れか一つに記載の携帯電話機において、
上記光送信部は、発光波長が６５０±５０ｎｍのＬＥＤであることを特徴とする携帯電話機。
【請求項８】
請求項３に記載の携帯電話機において、
上記光伝送媒体は、ＰＣＳファイバーケーブルであることを特徴とする携帯電話機。
【請求項９】
請求項８に記載の携帯電話機において、
上記光送信部は、発光波長が６００ｎｍ〜９００ｎｍのＶＣＳＥＬであることを特徴とする携帯電話機。
【請求項１０】
請求項３に記載の携帯電話機において、
上記光伝送媒体は、フレキシブル基板型導波路であることを特徴とする携帯電話機。
【請求項１１】
請求項１０に記載の携帯電話機において、
上記光送信部は、発光波長が６５０±５０ｎｍのＬＥＤアレイであることを特徴とする携帯電話機。
【請求項１２】
請求項１０に記載の携帯電話機において、
上記光送信部は、発光波長が６００ｎｍ〜９００ｎｍのＶＣＳＥＬアレイであることを特徴とする携帯電話機。
【請求項１３】
請求項１０に記載の携帯電話機において、
上記光受信部は、フォトダイオードアレイであることを特徴とする携帯電話機。
【請求項１４】
請求項１に記載の携帯電話機において、
上記光信号伝送部は、
上記第１筺体または上記第２筺体の一方に配置され光信号を送信する光送信部と、
上記第１筺体または上記第２筺体の他方に配置され光信号を受信する光受信部と
を有し、
上記光送信部から送信された光信号は、光空間伝送により、上記光受信部に受信されることを特徴とする携帯電話機。
【請求項１５】
請求項１４に記載の携帯電話機において、
上記第１筺体と上記第２筺体とが展開された状態で、
上記光送信部と上記光受信部とは、互いに対向して光学的に結合するように、配置されていることを特徴とする携帯電話機。
【請求項１６】
請求項１５に記載の携帯電話機において、
上記第１筺体と上記第２筺体とが展開された状態で、
上記第１筺体および上記第２筺体は、上記光送信部および上記光受信部に対応する部分に、外乱光を遮断する凹凸構造を有することを特徴とする携帯電話機。
【請求項１７】
請求項１５に記載の携帯電話機において、
上記第１筺体および上記第２筺体には、それぞれ、基板が設けられ、
上記第１筺体と上記第２筺体とが展開された状態で、上記第１筺体の上記基板と上記第２筺体の上記基板とは、互いに、所定角度で傾斜しており、
上記光送信部は、上記第１筺体または上記第２筺体の一方の上記基板に、上記光送信部の光軸が、上記一方の基板に直交する方向に対して、所定角度で傾斜するように、取り付けられる一方、
上記光受信部は、上記第１筺体または上記第２筺体の他方の上記基板に、上記光受信部の光軸が、上記他方の基板に直交する方向に対して、所定角度で傾斜するように、取り付けられ、
上記第１筺体と上記第２筺体とが展開された状態で、上記光送信部の光軸と上記光受信部の光軸とが、一致することを特徴とする携帯電話機。
【請求項１８】
請求項３または１４に記載の携帯電話機において、
上記光受信部は、
フォトダイオードと、
このフォトダイオードと１チップ化されると共にこのフォトダイオードの信号を処理する回路と
を有することを特徴とする携帯電話機。
【請求項１９】
請求項１に記載の携帯電話機において、
上記光信号伝送部は、
上記第１筺体および上記第２筺体のそれぞれに配置されると共に光信号の送信および受信の少なくとも一方を行う光学素子部と、
上記第１筐体の上記光学素子部と上記第２筺体の上記光学素子部とを光学的に結合するように上記第１筐体と上記第２筐体との間に架設されると共に両端にプラグが設けられた光伝送媒体と、
上記第１筺体および上記第２筺体のそれぞれに配置されると共に、上記光学素子部を嵌合保持しつつ上記光伝送媒体の上記プラグを嵌合保持して、上記光学素子部と上記光伝送媒体とを光学的に結合するレセプタクルと
を有することを特徴とする携帯電話機。
【請求項２０】
請求項１９に記載の携帯電話機において、
上記レセプタクルは、上記光伝送媒体の上記プラグ、および、上記光学素子部を、上記光伝送媒体の光軸方向に対して直交する方向から嵌合することを特徴とする携帯電話機。
【請求項２１】
請求項１９に記載の携帯電話機において、
上記第１筐体および上記第２筺体には、上記第１筐体および上記第２筺体を互いに折り畳みまたは展開自在に連結するヒンジ部が設けられ、
上記光伝送媒体は、上記ヒンジ部の内部を通って、上記第１筺体と上記第２筺体との間に架設されることを特徴とする携帯電話機。
【請求項２２】
請求項１９に記載の携帯電話機において、
上記光伝送媒体の上記プラグおよび上記光学素子部が上記レセプタクルに嵌合された状態で、上記プラグの一面と上記光学素子部の一面と上記レセプタクルの一面とは、略同一面に、配置されていることを特徴とする携帯電話機。
【請求項２３】
請求項１９に記載の携帯電話機において、
上記光学素子部は、発光素子および受光素子を有し、
上記光伝送媒体は、二本あり、一方の上記光伝送媒体は、上記第１筺体の上記発光素子と上記第２筺体の上記受光素子とを、光学的に結合し、他方の上記光伝送媒体は、上記第１筺体の上記受光素子と上記第２筺体の上記発光素子とを、光学的に結合することを特徴とする携帯電話機。
【請求項２４】
請求項２１に記載の携帯電話機において、
上記光伝送媒体は、少なくとも二本あり、上記各光伝送媒体に、上記プラグが設けられ、隣り合う上記プラグは、折り畳み自在な屈曲部にて、連結されていることを特徴とする携帯電話機。
【請求項２５】
請求項２１に記載の携帯電話機において、
上記光伝送媒体は、少なくとも二本あり、上記各光伝送媒体に、上記プラグが設けられ、隣り合う上記プラグは、それぞれ、互いに分離自在に係合する係合部を有することを特徴とする携帯電話機。
【請求項２６】
請求項１９に記載の携帯電話機において、
上記レセプタクルは、貫通孔を有し、この貫通孔に、上記光学素子部が嵌合されることを特徴とする携帯電話機。
【請求項２７】
請求項２６に記載の携帯電話機において、
上記レセプタクルおよび上記光学素子部は、それぞれ、上記レセプタクルに上記光学素子部が嵌合された状態で互いに係合して固定される固定用係合部を有することを特徴とする携帯電話機。
【請求項２８】
請求項２６に記載の携帯電話機において、
上記レセプタクルおよび上記光学素子部は、それぞれ、上記レセプタクルに上記光学素子部が嵌合された状態で互いに係合して位置決めされる位置決め用係合部を有することを特徴とする携帯電話機。
【請求項２９】
表示パネルを有する第１筐体と、
操作部を有すると共に上記第１筐体に折り畳みまたは展開自在に連結された第２筐体と、
上記第１筐体と上記第２筐体との間を光信号により信号の伝送を行う光信号伝送部と
を備えることを特徴とする電子機器。
【発明の詳細な説明】
【技術分野】
【０００１】
この発明は、光信号により信号の伝送を行う携帯電話機および電子機器に関する。
【背景技術】
【０００２】
従来、携帯電話機としては、図１７に示すように、表示パネルを有する第１筐体１と、操作パネルを有する第２筐体２とを有するものがある（特開２００１−１１９４６０号公報：特許文献１参照）。上記第１筺体１と上記第２筺体２とは、折り畳みまたは展開自在に連結されている。
【０００３】
図１８Ａと図１８Ｂに示すように、上記第１筐体１と上記第２筐体２とは、互いに、フレキシブルケーブル６により接続されて、電気信号により信号の伝送を行っている。具体的に述べると、上記第１筺体１および上記第２筺体２には、それぞれ、回路基板４，５が設けられている。上記第１筐体１の上記回路基板４と、上記第２筐体２の上記回路基板５とは、上記フレキシブルケーブル６にて、接続されている。上記フレキシブルケーブル６と上記回路基板４，５とは、コネクタ７，８により、接続されている。
【０００４】
一般的に、このような電気信号の伝送の場合、信号の伝送速度が速くなればなるほど、上記フレキシブルケーブル６からの電磁波ノイズの発生が大きくなり、上記フレキシブルケーブル６をシールドする必要がある。
【０００５】
そこで、従来の携帯電話機では、図１９に示すように、上記フレキシブルケーブル６として同軸型のフレキシブルケーブルを用いることで、上記フレキシブルケーブル６をシールドしている。
【０００６】
具体的に述べると、上記フレキシブルケーブル６は、内部導体パターン１２を中央に有するスペーサ部１３と、このスペーサ部１３を上下側より挟んで包むベース１４および内側の上側カバーレイ１５と、上記ベース１４および上記上側カバーレイ１５を上下より覆う上カバーレイ１６および下カバーレイ１７とを有する。
【０００７】
上記ベース１４は、下面の中央に帯状のパターン１４ａを有し、上面の両側に信号伝送用パターン１４ｂを有する。上記上側カバーレイ１５は、上面の中央に帯状パターン１５ａを有する。上記上カバーレイ１６は、上記帯状パターン１５ａを覆う。上記下カバーレイ１７は、上記帯状パターン１４ａを覆う。
【０００８】
上記上側カバーレイ１５および上記ベース１４には、上記上側カバーレイ１５および上記ベース１４を貫通するスルーホール２２が設けられている。このスルーホール２２により、上記帯状パターン１５ａと上記帯状のパターン１４ａとは、電気的に接続される。
【０００９】
上記内部導体パターン１２は、内部導体を構成する。上記帯状パターン１５ａ，１４ａおよび上記スルーホール２２は、外部導体を構成する。
【００１０】
そして、上記内部導体パターン１２に高速信号が伝送されても、上記フレキシブルケーブル６は、同軸構造であるため、電磁波は、上記フレキシブルケーブル６から外部に、漏洩しない。
【特許文献１】特開２００１−１１９４６０号公報
【発明の開示】
【発明が解決しようとする課題】
【００１１】
しかしながら、上記従来の携帯電話機では、例えば高精細な動画像を取り扱うと、伝送する信号は高速化し、この伝送の高速化に伴って、電磁波ノイズの発生が問題となる。また、上記フレキシブルケーブルのシールドによる電磁波対策は、構造が複雑で寸法も大きくなるため、携帯電話機のようなスペースが非常にかぎられた用途には問題となる。
【００１２】
そこで、この発明の課題は、携帯電話機内部における高速信号伝送に対して電磁波ノイズの発生が少なく安価な携帯電話機を提供することにある。
【課題を解決するための手段】
【００１３】
上記課題を解決するため、この発明の携帯電話機は、
表示パネルを有する第１筐体と、
操作パネルを有すると共に上記第１筐体に折り畳みまたは展開自在に連結された第２筐体と、
上記第１筐体と上記第２筐体との間を光信号により信号の伝送を行う光信号伝送部と
を備えることを特徴としている。
【００１４】
ここで、光信号伝送部の伝送方式とは、光信号を空中に通す光空間伝送方式と、光信号を細い石英などのチューブに通す光ファイバー伝送方式とを含む。
【００１５】
この発明の携帯電話機によれば、上記第１筐体と上記第２筐体との間を光信号により信号の伝送を行う上記光信号伝送部を有するので、上記光信号伝送部から電磁波ノイズの発生がなく、携帯電話機全体の電磁波ノイズを極端に低減することができる。また、上記光信号伝送部に対するシールドが不要になって、省スペースに対応できて、コンパクトな携帯電話機の内部の接続に適したものになる。
【００１６】
また、一実施形態の携帯電話機では、上記光信号伝送部の伝送速度は、４００Ｍｂｐｓ以上である。
【００１７】
この実施形態の携帯電話機によれば、上記光信号伝送部の伝送速度は、４００Ｍｂｐｓ以上であるので、高速な信号を伝送しても、上記光信号伝送部から電磁波ノイズの発生がなく、高速な信号の伝送に好適となる。
【００１８】
また、一実施形態の携帯電話機では、
上記光信号伝送部は、
上記第１筺体または上記第２筺体の一方に配置され光信号を送信する光送信部と、
上記第１筺体または上記第２筺体の他方に配置され光信号を受信する光受信部と、
上記光送信部と上記光受信部とを光学的に結合するように上記第１筐体と上記第２筐体との間に架設された光伝送媒体と
を有し、
上記光送信部から送信された光信号は、上記光伝送媒体を介して、上記光受信部に受信される。
【００１９】
ここで、光伝送媒体は、光導波路と光ファイバーケーブルとを含む。
【００２０】
この実施形態の携帯電話機によれば、上記光信号伝送部は、上記光送信部と上記光受信部と上記光伝送媒体とを有し、上記光送信部から送信された光信号は、上記光伝送媒体を介して、上記光受信部に受信されるので、上記光伝送媒体によって信号を確実に伝送できる。
【００２１】
また、一実施形態の携帯電話機では、上記光伝送媒体は、単芯プラスチック光ファイバーケーブルである。
【００２２】
この実施形態の携帯電話機によれば、上記光伝送媒体は、単芯プラスチック光ファイバーケーブルであるので、高速光ファイバー伝送が可能となり、より少ない信号本数で屈曲性よく実装できる。したがって、安価で、電磁波ノイズの発生が少なく、コンパクトな携帯電話機を作製できる。また、１本の光ファイバーケーブルにて１芯全２重通信を行えば、光ファイバーケーブル１本での双方向伝送も可能となる。
【００２３】
また、一実施形態の携帯電話機では、上記光伝送媒体は、多芯型のプラスチック光ファイバーケーブルである。
【００２４】
この実施形態の携帯電話機によれば、上記光伝送媒体は、多芯型のプラスチック光ファイバーケーブルであるので、高速光ファイバー伝送が可能となり、より少ない信号本数でさらに屈曲性よく実装できる。したがって、電磁波ノイズの発生が少なく、コンパクトな携帯電話機を作製できる。
【００２５】
また、一実施形態の携帯電話機では、上記光伝送媒体は、多芯型のガラスファイバーケーブルである。
【００２６】
この実施形態の携帯電話機によれば、上記光伝送媒体は、多芯型のガラスファイバーケーブルであるので、さらに高速光ファイバー伝送が可能となり、より少ない信号本数で屈曲性よく実装できる。したがって、電磁波ノイズの発生が少なく、コンパクトな携帯電話機を作製できる。
【００２７】
また、一実施形態の携帯電話機では、上記光送信部は、発光波長が６５０±５０ｎｍのＬＥＤである。
【００２８】
この実施形態の携帯電話機によれば、上記光送信部は、発光波長が６５０±５０ｎｍのＬＥＤであるので、光伝送効率の良い光信号伝送を行え、従来の電気信号用のフレキシブルケーブルに比べ、電磁シールド構造が必要ないため、安価でコンパクトな携帯電話機を作製できる。
【００２９】
また、一実施形態の携帯電話機では、上記光伝送媒体は、ＰＣＳファイバーケーブルである。
【００３０】
この実施形態の携帯電話機によれば、上記光伝送媒体は、ＰＣＳ（Polymer clad silica）ファイバーケーブルであるので、比較的安価に、高速光ファイバー伝送が可能となり、より少ない信号本数でさらに屈曲性よく実装できる。したがって、電磁波ノイズの発生が少なく、コンパクトな携帯電話機を作製できる。
【００３１】
また、一実施形態の携帯電話機では、上記光送信部は、発光波長が６００ｎｍ〜９００ｎｍのＶＣＳＥＬである。
【００３２】
この実施形態の携帯電話機によれば、上記光送信部は、発光波長が６００ｎｍ〜９００ｎｍのＶＣＳＥＬであるので、光伝送効率の良い光信号伝送を行え、従来の電気信号用のフレキシブルケーブルに比べ、電磁シールド構造が必要ないため、安価でコンパクトな携帯電話機を作製できる。
【００３３】
また、一実施形態の携帯電話機では、上記光伝送媒体は、フレキシブル基板型導波路である。
【００３４】
この実施形態の携帯電話機によれば、上記光伝送媒体は、フレキシブル基板型導波路であるので、従来の電気信号用のフレキシブルケーブルに比べ、電磁シールド構造が必要ない。また、１つのフレキシブル基板型導波路で、同時に多チャンネル伝送が可能であり、さらに高速伝送が可能であり、安価でコンパクトな携帯電話機を作製できる。
【００３５】
また、一実施形態の携帯電話機では、上記光送信部は、発光波長が６５０±５０ｎｍのＬＥＤアレイである。
【００３６】
この実施形態の携帯電話機によれば、上記光送信部は、発光波長が６５０±５０ｎｍのＬＥＤアレイであるので、上記光送信部のコンパクト化を実現できて、電磁波ノイズの発生が少なく、コンパクトで、より高速信号伝送が可能な携帯電話機を作製できる。
【００３７】
また、一実施形態の携帯電話機では、上記光送信部は、発光波長が６００ｎｍ〜９００ｎｍのＶＣＳＥＬアレイである。
【００３８】
この実施形態の携帯電話機によれば、上記光送信部は、発光波長が６００ｎｍ〜９００ｎｍのＶＣＳＥＬアレイであるので、さらに高速な上記光送信部のコンパクト化を実現できて、電磁波ノイズの発生が少なく、コンパクトで、より高速信号伝送が可能な携帯電話機を作製できる。
【００３９】
また、一実施形態の携帯電話機では、上記光受信部は、フォトダイオードアレイである。
【００４０】
この実施形態の携帯電話機によれば、上記光受信部は、フォトダイオードアレイであるので、上記光受信部のコンパクト化を実現できて、電磁波ノイズの発生が少なく、コンパクトで、より高速信号伝送が可能な携帯電話機を作製できる。
【００４１】
また、一実施形態の携帯電話機では、
上記光信号伝送部は、
上記第１筺体または上記第２筺体の一方に配置され光信号を送信する光送信部と、
上記第１筺体または上記第２筺体の他方に配置され光信号を受信する光受信部と
を有し、
上記光送信部から送信された光信号は、光空間伝送により、上記光受信部に受信される。
【００４２】
この実施形態の携帯電話機によれば、上記光信号伝送部は、上記光送信部と上記光受信部とを有し、上記光送信部から送信された光信号は、光空間伝送により、上記光受信部に受信されるので、光空間伝送によって、信号伝送路を必要とせず、電磁波ノイズの発生が少なく、コンパクトな携帯電話機を作製できる。
【００４３】
また、一実施形態の携帯電話機では、
上記第１筺体と上記第２筺体とが展開された状態で、
上記光送信部と上記光受信部とは、互いに対向して光学的に結合するように、配置されている。
【００４４】
この実施形態の携帯電話機によれば、上記第１筺体と上記第２筺体とが展開された状態で、上記光送信部と上記光受信部とは、互いに対向して光学的に結合するように、配置されているので、上記第１筺体と上記第２筺体とを展開して上記携帯電話機を使用するときに、光信号を確実に伝送できる。
【００４５】
また、一実施形態の携帯電話機では、
上記第１筺体と上記第２筺体とが展開された状態で、
上記第１筺体および上記第２筺体は、上記光送信部および上記光受信部に対応する部分に、外乱光を遮断する凹凸構造を有する。
【００４６】
この実施形態の携帯電話機によれば、上記第１筺体と上記第２筺体とが展開された状態で、上記第１筺体および上記第２筺体は、上記光送信部および上記光受信部に対応する部分に、外乱光を遮断する凹凸構造を有するので、上記第１筐体と上記第２筐体の間の信号の伝送について、外乱光の影響がなく、良好な光空間伝送の通信を実現できる。したがって、電磁波ノイズの発生が少なく、コンパクトな携帯電話機を作製できる。
【００４７】
また、一実施形態の携帯電話機では、
上記第１筺体および上記第２筺体には、それぞれ、基板が設けられ、
上記第１筺体と上記第２筺体とが展開された状態で、上記第１筺体の上記基板と上記第２筺体の上記基板とは、互いに、所定角度で傾斜しており、
上記光送信部は、上記第１筺体または上記第２筺体の一方の上記基板に、上記光送信部の光軸が、上記一方の基板に直交する方向に対して、所定角度で傾斜するように、取り付けられる一方、
上記光受信部は、上記第１筺体または上記第２筺体の他方の上記基板に、上記光受信部の光軸が、上記他方の基板に直交する方向に対して、所定角度で傾斜するように、取り付けられ、
上記第１筺体と上記第２筺体とが展開された状態で、上記光送信部の光軸と上記光受信部の光軸とが、一致する。
【００４８】
この実施形態の携帯電話機によれば、上記第１筺体と上記第２筺体とが展開された状態で、上記光送信部の光軸と上記光受信部の光軸とが、一致するので、伝送効率が良好な光空間伝送の通信を実現できる。したがって、電磁波ノイズの発生が少なく、コンパクトな携帯電話機を作製できる。
【００４９】
また、一実施形態の携帯電話機では、
上記光受信部は、
フォトダイオードと、
このフォトダイオードと１チップ化されると共にこのフォトダイオードの信号を処理する回路と
を有する。
【００５０】
ここで、回路は、例えば、プリアンプ回路である。
【００５１】
この実施形態の携帯電話機によれば、上記光受信部は、上記フォトダイオードと、このフォトダイオードと１チップ化されると共にこのフォトダイオードの信号を処理する回路とを有するので、上記光受信部のコンパクト化を実現できる。したがって、電磁波ノイズの発生が少なく、コンパクトな携帯電話機を作製できる。
【００５２】
また、一実施形態の携帯電話機では、
上記光信号伝送部は、
上記第１筺体および上記第２筺体のそれぞれに配置されると共に光信号の送信および受信の少なくとも一方を行う光学素子部と、
上記第１筐体の上記光学素子部と上記第２筺体の上記光学素子部とを光学的に結合するように上記第１筐体と上記第２筐体との間に架設されると共に両端にプラグが設けられた光伝送媒体と、
上記第１筺体および上記第２筺体のそれぞれに配置されると共に、上記光学素子部を嵌合保持しつつ上記光伝送媒体の上記プラグを嵌合保持して、上記光学素子部と上記光伝送媒体とを光学的に結合するレセプタクルと
を有している。
【００５３】
この実施形態の携帯電話機によれば、上記光信号伝送部は、上記第１筺体および上記第２筺体のそれぞれに配置される上記光学素子部と、上記第１筐体と上記第２筐体との間に架設されると共に両端にプラグが設けられた上記光伝送媒体と、上記第１筺体および上記第２筺体のそれぞれに配置されると共に、上記光学素子部を嵌合保持しつつ上記光伝送媒体の上記プラグを嵌合保持して、上記光学素子部と上記光伝送媒体とを光学的に結合するレセプタクルとを有するので、上記プラグと上記レセプタクルとの嵌合部材以外に他の光接続部材を設ける必要がなくて、部品数を少なくして、簡単な構造にできる。また、上記プラグおよび上記光学素子部は、上記レセプタクルに嵌合されるので、小型化を図れ、上記光伝送媒体と上記光学素子部とを光学的に確実に結合できる。
【００５４】
また、一実施形態の携帯電話機では、上記レセプタクルは、上記光伝送媒体の上記プラグ、および、上記光学素子部を、上記光伝送媒体の光軸方向に対して直交する方向から嵌合する。
【００５５】
この実施形態の携帯電話機によれば、上記レセプタクルは、上記光伝送媒体の上記プラグ、および、上記光学素子部を、上記光伝送媒体の光軸方向に対して直交する方向から嵌合するので、上記レセプタクルに、上記光伝送媒体の上記プラグ、および、上記光学素子部を、容易に、組み立てることができる。
【００５６】
また、一実施形態の携帯電話機では、
上記第１筐体および上記第２筺体には、上記第１筐体および上記第２筺体を互いに折り畳みまたは展開自在に連結するヒンジ部が設けられ、
上記光伝送媒体は、上記ヒンジ部の内部を通って、上記第１筺体と上記第２筺体との間に架設される。
【００５７】
この実施形態の携帯電話機によれば、上記光伝送媒体は、上記ヒンジ部の内部を通って、上記第１筺体と上記第２筺体との間に架設されるので、上記光伝送媒体を上記ヒンジ部の内部に隠すことができて、上記第１筐体および上記第２筺体の可動域の制約が大きく減少して、上記第１筐体および上記第２筺体を自由自在に展開できる携帯電話機を実現できる。また、上記光伝送媒体に加わるストレスが無いため、高品質な伝送が可能となる。
【００５８】
また、一実施形態の携帯電話機では、上記光伝送媒体の上記プラグおよび上記光学素子部が上記レセプタクルに嵌合された状態で、上記プラグの一面と上記光学素子部の一面と上記レセプタクルの一面とは、略同一面に、配置されている。
【００５９】
この実施形態の携帯電話機によれば、上記光伝送媒体の上記プラグおよび上記光学素子部が上記レセプタクルに嵌合された状態で、上記プラグの一面と上記光学素子部の一面と上記レセプタクルの一面とは、略同一面に、配置されているので、上記プラグおよび上記光学素子部を上記レセプタクルに組み立てるときに、上記プラグ、上記光学素子部および上記レセプタクルを、面一にする必要があり、光学結合が確実に行われているか否かが容易に判断できる。
【００６０】
また、一実施形態の携帯電話機では、
上記光学素子部は、発光素子および受光素子を有し、
上記光伝送媒体は、二本あり、一方の上記光伝送媒体は、上記第１筺体の上記発光素子と上記第２筺体の上記受光素子とを、光学的に結合し、他方の上記光伝送媒体は、上記第１筺体の上記受光素子と上記第２筺体の上記発光素子とを、光学的に結合する。
【００６１】
この実施形態の携帯電話機によれば、上記光学素子部は、発光素子および受光素子を有し、上記一方の光伝送媒体は、上記第１筺体の上記発光素子と上記第２筺体の上記受光素子とを、光学的に結合し、上記他方の光伝送媒体は、上記第１筺体の上記受光素子と上記第２筺体の上記発光素子とを、光学的に結合するので、双方向通信が可能なコンパクトな携帯電話機が実現できる。
【００６２】
また、一実施形態の携帯電話機では、上記光伝送媒体は、少なくとも二本あり、上記各光伝送媒体に、上記プラグが設けられ、隣り合う上記プラグは、折り畳み自在な屈曲部にて、連結されている。
【００６３】
この実施形態の携帯電話機によれば、上記隣り合うプラグは、折り畳み自在な屈曲部にて、連結されているので、上記隣り合うプラグを、上記屈曲部にて、折り畳むことができて、上記ヒンジ部の内部が小さい場合においても、上記屈曲部を折り畳みながら、上記光伝送媒体を上記ヒンジ部の内部に通すことができる。そして、上記ヒンジ部の内部を小さくすることができるので、よりコンパクトな携帯電話機を実現できる。
【００６４】
また、一実施形態の携帯電話機では、上記光伝送媒体は、少なくとも二本あり、上記各光伝送媒体に、上記プラグが設けられ、隣り合う上記プラグは、それぞれ、互いに分離自在に係合する係合部を有する。
【００６５】
この実施形態の携帯電話機によれば、上記隣り合うプラグは、それぞれ、互いに分離自在に係合する係合部を有するので、上記光伝送媒体を上記ヒンジ部の内部に通すときに、上記隣り合うプラグを分離し、それぞれのプラグを上記ヒンジ部の内部に通し、その後、上記隣り合うプラグを係合し一体化して、上記レセプタクルに嵌合できる。したがって、上記ヒンジ部の内部を小さくすることができるので、よりコンパクトな携帯電話機を実現できる。
【００６６】
また、一実施形態の携帯電話機では、上記レセプタクルは、貫通孔を有し、この貫通孔に、上記光学素子部が嵌合される。
【００６７】
この実施形態の携帯電話機によれば、上記レセプタクルの上記貫通孔に、上記光学素子部が嵌合されるので、上記レセプタクルの高さと上記光学素子部の高さとを、略同一にできて、上記レセプタクルの高さを低くできて、さらにコンパクトな携帯電話機を実現できる。
【００６８】
また、一実施形態の携帯電話機では、上記レセプタクルおよび上記光学素子部は、それぞれ、上記レセプタクルに上記光学素子部が嵌合された状態で互いに係合して固定される固定用係合部を有する。
【００６９】
この実施形態の携帯電話機によれば、上記レセプタクルおよび上記光学素子部は、それぞれ、上記レセプタクルに上記光学素子部が嵌合された状態で互いに係合して固定される固定用係合部を有するので、上記光学素子部と上記レセプタクルが確実に嵌合して保持されるため、小型のレセプタクルを実現でき、コンパクトな携帯電話機を実現できる。また別途に固定用部材が必要とならないため、安価な携帯電話機を実現できる。
【００７０】
また、一実施形態の携帯電話機では、上記レセプタクルおよび上記光学素子部は、それぞれ、上記レセプタクルに上記光学素子部が嵌合された状態で互いに係合して位置決めされる位置決め用係合部を有する。
【００７１】
この実施形態の携帯電話機によれば、上記レセプタクルおよび上記光学素子部は、それぞれ、上記レセプタクルに上記光学素子部が嵌合された状態で互いに係合して位置決めされる位置決め用係合部を有するので、上記レセプタクルおよび上記光学素子部の位置決めを確実に行え、小型かつ高伝送品質なレセプタクルを実現でき、コンパクトかつ高性能な携帯電話機を実現できる。また、別途に位置決め用部材が必要とならないため、安価な携帯電話機を実現できる。
【００７２】
また、この発明の電子機器は、
表示パネルを有する第１筐体と、
操作部を有すると共に上記第１筐体に折り畳みまたは展開自在に連結された第２筐体と、
上記第１筐体と上記第２筐体との間を光信号により信号の伝送を行う光信号伝送部と
を備えることを特徴としている。
【００７３】
ここで、光信号伝送部の伝送方式とは、光信号を空中に通す光空間伝送方式と、光信号を細い石英などのチューブに通す光ファイバー伝送方式とを含む。また、電子機器とは、例えば、ＰＤＡ、ノートＰＣ、ポータブルＤＶＤ、デジタル音楽機器などの携帯機器である。
【００７４】
この発明の電子機器によれば、上記第１筐体と上記第２筐体との間を光信号により信号の伝送を行う上記光信号伝送部を有するので、上記光信号伝送部から電磁波ノイズの発生がなく、電子機器全体の電磁波ノイズを極端に低減することができる。また、上記光信号伝送部に対するシールドが不要になって、省スペースに対応できて、コンパクト化を実現できる。
【発明の効果】
【００７５】
この発明の携帯電話機によれば、上記第１筐体と上記第２筐体との間を光信号により信号の伝送を行う上記光信号伝送部を有するので、複雑な電磁シールド構造を省略でき、電磁波ノイズの少ない携帯電話機を実現できる。
【００７６】
また、この発明の電子機器によれば、上記第１筐体と上記第２筐体との間を光信号により信号の伝送を行う上記光信号伝送部を有するので、複雑な電磁シールド構造を省略でき、電磁波ノイズの少ない電子機器を実現できる。
【発明を実施するための最良の形態】
【００７７】
以下、この発明を図示の実施の形態により詳細に説明する。
【００７８】
（第１の実施形態）
図１Ａと図１Ｂは、この発明の携帯電話機の第１実施形態である簡略構成図を示している。図１Ａは、携帯電話機の正面断面図である。図１Ｂは、携帯電話機の側面図である。図１Ａと図１Ｂは、図１７のように携帯電話機を展開した状態を示す。
【００７９】
この携帯電話機は、第１筐体１０１と、第２筐体１０２と、上記第１筐体１０１と上記第２筐体１０２との間を光信号により信号の伝送を行う光信号伝送部１００とを有する。
【００８０】
上記第１筺体１０１は、画面等の表示パネルを有する。上記第２筺体１０２は、ボタン等の操作パネルを有する。
【００８１】
上記第１筐体１０１と上記第２筐体１０２とは、折り畳みまたは展開自在に連結されている。つまり、上記第１筺体１０１と上記第２筺体１０２との連結部は、ヒンジを形成している。
【００８２】
上記光信号伝送部１００は、光信号を送信する光送信部１０７と、光信号を受信する光受信部１０８と、上記光送信部１０７と上記光受信部１０８とを光学的に結合する光伝送媒体としてのフレキシブルケーブル１０６とを有する。
【００８３】
上記光送信部１０７および上記光受信部１０８は、上記第１筺体１０１および上記第２筺体１０２のそれぞれに配置されている。つまり、上記第１筺体１０１および上記第２筺体１０２の内部には、それぞれ、回路を有する基板１０４、１０５が設けられ、上記光送信部１０７および上記光受信部１０８は、上記基板１０４，１０５に取り付けられている。
【００８４】
なお、上記光送信部１０７は、上記第１筺体１０１または上記第２筺体１０２の一方に配置され、上記光受信部１０８は、上記第１筺体１０１または上記第２筺体１０２の他方に配置されていればよい。
【００８５】
上記フレキシブルケーブル１０６は、二つあり、上記第１筐体１０１と上記第２筐体１０２との間に架設されている。上記フレキシブルケーブル１０６は、上記第１筺体１０１と上記第２筺体１０２との枢結軸の回りに巻かれている。
【００８６】
一方の上記フレキシブルケーブル１０６は、上記第１筺体１０１にある上記光送信部１０７と、上記第２筺体１０２にある上記光受信部１０８とを結合している。他方の上記フレキシブルケーブル１０６は、上記第１筺体１０１にある上記光受信部１０８と、上記第２筺体１０２にある上記光送信部１０７とを結合している。
【００８７】
そして、上記光送信部１０７から送信された光信号は、上記フレキシブルケーブル１０６を介して、上記光受信部１０８に受信される。つまり、この携帯電話機は、上記第１筺体１０１と上記第２筺体１０２との間を双方向に伝送することができる。
【００８８】
上記構成の携帯電話機によれば、上記第１筐体１０１と上記第２筐体１０２との間を光信号により信号の伝送を行う上記光信号伝送部１００を有するので、上記光信号伝送部１００から電磁波ノイズの発生がなく、携帯電話機全体の電磁波ノイズを極端に低減することができる。また、上記光信号伝送部１００に対するシールドが不要になって、省スペースに対応できて、コンパクトな携帯電話機の内部の接続に適したものになる。
【００８９】
上記光信号伝送部１００の伝送速度は、４００Ｍｂｐｓ以上であってもよく、高速な信号を伝送しても、上記光信号伝送部１００から電磁波ノイズの発生がなく、高速な信号の伝送に好適となる。したがって、動画像等の高速信号の光伝送を行っても、電磁波ノイズの発生が非常に少ない携帯電話機を実現できる。
【００９０】
また、上記光信号伝送部１００は、上記光送信部１０７と上記光受信部１０８と上記フレキシブルケーブル１０６とを有し、上記光送信部１０７から送信された光信号は、上記フレキシブルケーブル１０６を介して、上記光受信部１０８に受信されるので、上記フレキシブルケーブル１０６によって信号を確実に伝送できる。
【００９１】
上記フレキシブルケーブル１０６として、図２Ａに示すように、単芯プラスチック光ファイバーケーブル１２０を用いてもよい。この単芯プラスチック光ファイバーケーブル１２０は、直径ｄが０．５ｍｍ以下の単芯プラスチックファイバー１２３と、この単芯プラスチックファイバー１２３を覆うカバーチューブ１２２とを有する。
【００９２】
したがって、高速光ファイバー伝送が可能となり、より少ない信号本数で屈曲性よく実装できる。そして、安価で、電磁波ノイズの発生が少なく、コンパクトな携帯電話機を作製できる。また、１本の光ファイバーケーブルにて１芯全２重通信を行えば、光ファイバーケーブル１本での双方向伝送も可能となる。
【００９３】
また、上記フレキシブルケーブル１０６として、図２Ｂに示すように、多芯型のプラスチック光ファイバーケーブル１２１を用いてもよい。この多芯型のプラスチック光ファイバーケーブル１２１は、多芯型のプラスチックファイバー１２４と、この多芯型のプラスチックファイバー１２４を覆うカバーチューブ１２２とを有する。
【００９４】
したがって、高速光ファイバー伝送が可能となり、より少ない信号本数でさらに屈曲性よく実装できる。そして、電磁波ノイズの発生が少なく、コンパクトな携帯電話機を作製できる。
【００９５】
なお、上記フレキシブルケーブル１０６として、多芯型のガラスファイバーケーブルを用いてもよい。したがって、さらに高速光ファイバー伝送が可能となり、より少ない信号本数で屈曲性よく実装できる。そして、電磁波ノイズの発生が少なく、コンパクトな携帯電話機を作製できる。
【００９６】
上記光送信部１０７として、発光波長が６５０±５０ｎｍのＬＥＤを用いてもよい。したがって、光伝送効率の良い光信号伝送を行え、従来の電気信号用のフレキシブルケーブルに比べ、電磁シールド構造が必要ないため、安価でコンパクトな携帯電話機を作製できる。つまり、上記フレキシブルケーブル１０６として、上記プラスチック光ファイバーケーブル１２０，１２１や上記ガラスファイバーケーブルを用いた場合、発光波長が６５０±５０ｎｍの範囲の光信号にたいしては減衰が少ないため、光伝送効率の良い光信号伝送が行える。
【００９７】
なお、上記フレキシブルケーブル１０６として、ＰＣＳ（Polymer clad silica）ファイバーケーブルを用いてもよく、比較的安価に、高速光ファイバー伝送が可能となり、より少ない信号本数でさらに屈曲性よく実装できる。そして、電磁波ノイズの発生が少なく、コンパクトな携帯電話機を作製できる。
【００９８】
このとき、上記光送信部１０７として、発光波長が６００ｎｍ〜９００ｎｍの面発光レーザであるＶＣＳＥＬを用いてもよく、光伝送効率の良い光信号伝送を行え、従来の電気信号用のフレキシブルケーブルに比べ、電磁シールド構造が必要ないため、安価でコンパクトな携帯電話機を作製できる。つまり、上記フレキシブルケーブル１０６として、上記ＰＣＳファイバーケーブルを用いた場合、発光波長が６００ｎｍ〜９００ｎｍの範囲の光信号にたいしては減衰が少ないため、光伝送効率の良い光信号伝送が行える。
【００９９】
（第２の実施形態）
図３Ａと図３Ｂは、この発明の携帯電話機の第２の実施形態を示している。上記第１の実施形態と相違する点を説明すると、この第２の実施形態では、上記光伝送媒体として、フレキシブル基板型導波路を用いている。
【０１００】
つまり、この第２の実施形態では、上記光信号伝送部１００は、上記第１筺体１０１の上記基板１０４に取り付けられた光送信部１２７と、上記第２筺体１０２の上記基板１０５に取り付けられた光受信部１２８と、上記光送信部１２７と上記光受信部１２８とを結合するフレキシブル基板型導波路１２６とを有する。このフレキシブル基板型導波路１２６は、例えば、ポリマー系プラスチックやガラスで形成されている。そして、上記光送信部１２７は、上記フレキシブル基板型導波路１２６を介して、上記光受信部１２８に伝送する。
【０１０１】
したがって、上記フレキシブル基板型導波路１２６によれば、従来の電気信号用のフレキシブルケーブルに比べ、電磁シールド構造が必要ない。また、１つの上記フレキシブル基板型導波路１２６で、同時に多チャンネル伝送が可能であり、さらに高速伝送が可能であり、安価でコンパクトな携帯電話機を作製できる。
【０１０２】
上記光送信部１２７として、発光波長が６５０±５０ｎｍのＬＥＤアレイを用いてもよく、上記光送信部１２７のコンパクト化を実現できて、電磁波ノイズの発生が少なく、コンパクトで、より高速信号伝送が可能な携帯電話機を作製できる。つまり、ポリマー系プラスチックで形成された上記導波路１２６に対して減衰が少ない発光波長を用いており、また、上記導波路１２６のピッチと、ＬＥＤアレイのピッチとを、一致させることで、上記光送信部１２７のコンパクト化を実現できる。
【０１０３】
また、上記光送信部１２７として、発光波長が６００ｎｍ〜９００ｎｍのＶＣＳＥＬアレイを用いてもよく、さらに高速な上記光送信部１２７のコンパクト化を実現できて、電磁波ノイズの発生が少なく、コンパクトで、より高速信号伝送が可能な携帯電話機を作製できる。つまり、ガラスで形成された上記導波路１２６に対して減衰が少ない発光波長を用いており、また、上記導波路１２６のピッチと、ＶＣＳＥＬアレイのピッチとを、一致させることで、上記光送信部１２７のコンパクト化を実現できる。
【０１０４】
また、上記光受信部１２８として、フォトダイオードアレイを用いてもよく、上記光受信部１２８のコンパクト化を実現できて、電磁波ノイズの発生が少なく、コンパクトで、より高速信号伝送が可能な携帯電話機を作製できる。つまり、上記導波路１２６のピッチと、上記フォトダイオードアレイのピッチとを、一致させることで、上記光受信部１２８のコンパクト化が実現できる。
【０１０５】
（第３の実施形態）
図４Ａと図４Ｂは、この発明の携帯電話機の第３の実施形態を示している。上記第１の実施形態と相違する点を説明すると、この第３の実施形態では、光信号伝送部の伝送方式が、光ファイバー伝送方式でなく、光空間伝送方式である。
【０１０６】
つまり、この光信号伝送部１００は、上記第１筺体１０１の上記基板１０４に配置され光信号を送信する光送信部１３７と、上記第２筺体１０２の上記基板１０５に配置され光信号を受信する光受信部１３８とを有し、上記光送信部１３７から送信された光信号は、光空間伝送により、上記光受信部１３８に受信される。
【０１０７】
したがって、光空間伝送によって、信号伝送路を必要とせず、電磁波ノイズの発生が少なく、コンパクトな携帯電話機を作製できる。
【０１０８】
なお、上記光送信部１３７を上記第２筺体１０２に配置し、上記光受信部１３８を上記第１筺体１０１に配置して、上記第２筺体１０２から上記第１筺体１０１に伝送するようにしてもよい。また、上記光送信部１３７および上記光受信部１３８を、上記第１筺体１０１および上記第２筺体１０２のそれぞれに配置して、上記第１筺体１０１と上記第２筺体１０２との間で双方向に伝送するようにしてもよい。
【０１０９】
上記第１筺体１０１と上記第２筺体１０２とが展開された状態で、上記光送信部１３７と上記光受信部１３８とは、互いに対向して光学的に結合するように、配置されている。したがって、上記第１筺体１０１と上記第２筺体１０２とを展開して上記携帯電話機を使用するときに、光信号を確実に伝送できる。
【０１１０】
上記第１筺体１０１と上記第２筺体１０２とが展開された状態で、上記第１筺体１０１および上記第２筺体１０２は、上記光送信部１３７および上記光受信部１３８に対応する部分に、外乱光を遮断する凹凸構造を有する。
【０１１１】
具体的に述べると、上記第１筺体１０１は、上記光送信部１３７に対応する部分に、凹部１３２を有し、上記第２筺体１０２は、上記光受信部１３８に対応する部分に、凸部１３１を有する。上記凹部１３２と上記凸部１３１とは、上記第１筺体１０１と上記第２筺体１０２とを開いた状態で、互いに、重なる。
【０１１２】
したがって、上記第１筺体１０１と上記第２筺体１０２とを開いて上記携帯電話機を使用するときに、上記第１筐体１０１と上記第２筐体１０２の間の信号の伝送について、外乱光の影響がなく、良好な光空間伝送の通信を実現できる。つまり、電磁波ノイズの発生が少なく、コンパクトな携帯電話機を作製できる。なお、上記第１筺体１０１に凸部を設け、上記第２筺体１０２に凹部を設けてもよい。
【０１１３】
図５Ａに示すように、上記第１筺体１０１と上記第２筺体１０２とが展開された状態で、上記第１筺体１０１の上記基１０４板と上記第２筺体１０２の上記基板１０５とは、互いに、所定角度θで傾斜している。
【０１１４】
図５Ｂと図５Ｃに示すように、上記光受信部１３８は、上記第２筺体１０２の上記基板１０５に、上記光受信部１３８の光軸１３８ａが、上記基板１０５に直交する方向に対して、所定角度αで傾斜するように、取り付けられている。
【０１１５】
上記光受信部１３８と上記基板１０５とは、リード端子２０１によって、接続されている。このリード端子２０１は、上記所定角度αに対応した形状となっている。上記光受信部１３８の上部には、レンズ２０５が形成されており、このレンズ２０５によって指向角度が定められる。
【０１１６】
上記光受信部１３８と同様に、上記光送信部１３７は、図５Ａに示すように、上記第１筺体１０１の上記基板１０４に、上記光送信部１３７の光軸１３７ａが、上記基板１０４に直交する方向に対して、所定角度βで傾斜するように、取り付けられている。
【０１１７】
そして、上記第１筺体１０１と上記第２筺体１０２とが展開された状態で、上記光送信部１３７の光軸１３７ａと上記光受信部１３８の光軸１３８ａとが、一致する。つまり、上記所定角度θは、上記所定角度αと上記所定角度βとを加えた値に、一致する。
【０１１８】
したがって、伝送効率が良好な光空間伝送の通信を実現できる。つまり、電磁波ノイズの発生が少なく、コンパクトな携帯電話機を作製できる。
【０１１９】
（第４の実施形態）
この発明の携帯電話機の第４の実施形態では、図示しないが、上記第１〜上記第３の実施形態の上記光受信部１０８，１２８，１３８として、フォトダイオードとこのフォトダイオードの信号を処理する回路とを有する光受信部を用いている。この光受信部では、上記フォトダイオードと上記回路とが１チップ化されている。この回路は、例えば、プリアンプ回路である。
【０１２０】
上記フォトダイオードのみを透明デバイスパッケージに収めた場合、このパッケージから非常に高いインピーダンスの信号を取り出さねばならず、外部ノイズの影響が受けやすくなるからである。ただし、最終段のコンパレータまでをパッケージに納めると、最終段の出力信号が前記プリアンプの入力段へ影響を及ぼし応答特性が悪くなる。このため上記回路のみをフォトダイオードと１チップ化している。
【０１２１】
したがって、上記光受信部のコンパクト化を実現できて、電磁波ノイズの発生が少なく、コンパクトな携帯電話機を作製できる。
【０１２２】
（第５の実施形態）
図６Ａ、図６Ｂおよび図６Ｃは、この発明の携帯電話機の第５の実施形態を示している。この携帯電話機は、第１筐体３０１と第２筐体３０２とを有し、上記第１筐体３０１および上記第２筺体３０２には、上記第１筐体３０１および上記第２筺体３０２を互いに折り畳みまたは展開自在に連結するヒンジ部３０３が設けられている。
【０１２３】
上記第１筐体３０１には、表示部３０４が配置されている。上記第１筐体３０１には、表示部３０４の裏面にカメラ３０５が設けられている。上記表示部３０４および上記カメラ３０５を、複数設けてもよい。上記カメラ３０５は、上記表示部３０４の面に設けてもよい。上記第２筐体３０２には、ボタン等の操作パネルを有する。
【０１２４】
上記第１筐体３０１の内部には、基板３０９が設けられている。上記第２の筐体３０２の内部には、基板３１０が設けられている。上記基板３０９および上記基板３１０の信号の伝送は、光信号伝送部３００により、伝送が行われる。
【０１２５】
上記光信号伝送部３００は、上記第１筺体３０１および上記第２筺体３０２のそれぞれに配置される光学素子部３２２と、上記第１筺体３０１の上記光学素子部３２２と上記第２筺体３０２の上記光学素子部３２２とを光学的に結合するように上記第１筺体３０１と上記第２筺体３０２との間に架設される光伝送媒体としての光ファイバーケーブル３０８と、上記第１筺体３０１および上記第２筺体３０２のそれぞれに配置されると共に上記光学素子部３２２と上記光ファイバーケーブル３０８とを光学的に結合するレセプタクル３３１とを有する。
【０１２６】
上記光学素子部３２２は、光信号の送信および受信の少なくとも一方を行う。具体的に述べると、上記光学素子部３２２は、発光素子および受光素子を樹脂封止したパッケージであり、上記基板３０９，３１０のそれぞれに、電気的に接続されている。
【０１２７】
上記光ファイバーケーブル３０８の両端には、プラグ３０７が設けられている。上記レセプタクル３３１は、上記光学素子部３２２を嵌合保持しつつ上記光ファイバーケーブル３０８の上記プラグ３０７を嵌合保持する。
【０１２８】
上記光ファイバーケーブル３０８としては、単芯のプラスチック光ファイバーを用いている。上記光ファイバーケーブル３０８は、二本あり、この二本の光ファイバーケーブル３０８は、上記プラグ３０７により、一体に固定されている。
【０１２９】
一方の上記光ファイバーケーブル３０８は、上記第１筺体３０１の上記発光素子と上記第２筺体３０２の上記受光素子とを、光学的に結合し、他方の上記光ファイバーケーブル３０８は、上記第１筺体３０１の上記受光素子と上記第２筺体３０２の上記発光素子とを、光学的に結合する。つまり、上記二本の光ファイバーケーブル３０８により、上記基板３０９，３１０の双方向通信を行っている。
【０１３０】
なお、単方向通信のみで良い場合、上記光ファイバーケーブル３０８を一本とし、この一本の光ファイバーケーブル３０８に上記プラグ３０７を設け、上記第１筐体３０１に発光素子または受光素子の一方を有する光学素子部３２２を設け、上記第２筐体３０２に発光素子または受光素子の他方を有する光学素子部３２２を設けて、この一本の光ファイバーケーブル３０８にて接続を行って、光信号伝送を行えばよい。
【０１３１】
上記携帯電話機の組立方法を説明する。
【０１３２】
上記基板３０９および上記基板３１０のそれぞれに、上記光学素子部３２２を電気的に接続する。上記光学素子部３２２は、上記レセプタクル３３１によって、嵌合保持されている。一方の上記基板３０９を上記第１筺体３０１に固定する。他方の上記基板３１０を上記第２筺体３０２に固定する。
【０１３３】
そして、上記光ファイバーケーブル３０８の一方を、この一方に設けられた上記プラグ３０７を介して、上記第１筺体３０１または上記第２筺体３０２の一方の上記レセプタクル３３１に取り付ける。
【０１３４】
その後、上記光ファイバーケーブル３０８の他方を、上記ヒンジ部３０３の内部を通してから、この他方に設けられた上記プラグ３０７を介して、上記第１筺体３０１または上記第２筺体３０２の他方の上記レセプタクル３３１に取り付ける。
【０１３５】
ここで、上記光ファイバーケーブル３０８は、上記プラグ３０７を含めて、上記ヒンジ部３０３の内部を通過可能な大きさである。
【０１３６】
図７Ａおよび図７Ｂに示すように、上記二本の光ファイバーケーブル３０８は、一体成型にて成型されたプラグ３０７に固定されている。なお、上記光ファイバー３０７と上記プラグ３０７とは、接着剤や、くさび等の固定用部材を用いて、固定してもよい。
【０１３７】
上記プラグ３０７には、上記レセプタクル３０６に設けられた凹部に嵌合保持させるため、凸部３１１を設けている。なお、上記プラグ３０７に、凹部を設け、上記レセプタクル３３１に凸部を設けるようにしてもよい。また、上記プラグ３０７を上記レセプタクル３３１に接着剤を用いて固定するようにしてもよい。
【０１３８】
この実施形態において、（仮想線にて示す）上記ヒンジ部３０３の内部空間３０３ａを、直径３ｍｍとしたとき、このヒンジ部３０３の内部空間を通って上記レセプタクル３３１と接続するため、上記二本の光ファイバーケーブル３０８の間隔Ｄを、１．５ｍｍ以下となるように設定している。
【０１３９】
詳しく寸法を解説すると、被膜を有する上記光ファイバーケーブル３０８の直径ｄ２を０．７ｍｍとし、上記光ファイバーケーブル３０８の外面を保持する樹脂の肉厚Ｄ２を０．２ｍｍとし、上記プラグ３０７の最小肉厚Ｄ１を０．２ｍｍとし、上記二本の光ファイバーケーブル３０８を保持する樹脂の間Ｄ３の肉厚を０．２ｍｍとすれば、Ｄ１＋Ｄ２＋ｄ２＋Ｄ２＋Ｄ３＋Ｄ２＋ｄ２＋Ｄ２＋Ｄ１＝２．８ｍｍとなり、上記プラグ３０７の外形が２．８ｍｍとなって、上記ヒンジ部３０３の内部空間が直径３ｍｍであっても、上記光ファイバーケーブル３０８を上記ヒンジ部３０３の内部を通すことができる。
【０１４０】
図８Ａに示すように、上記光ファイバーケーブル３０８として、単芯の光ファイバーケーブルを用いており、この光ファイバーケーブル３０８は、単芯コア３１２と、この単芯コア３１２を覆う被膜３１３とを有する。上記単芯コア３１２の直径ｄ１は、０．５ｍｍ以下であり、上記光ファイバーケーブル３０８の直径ｄ２は、０．７ｍｍ以下である。
【０１４１】
なお、図８Ｂに示すように、上記光ファイバーケーブルとして、多芯の光ファイバーケーブルを用いてもよく、この光ファイバーケーブル３０８Ａは、多芯コア３１４と、この多芯コア３１２を覆う被膜３１３とを有する。この多芯コア３１４は、複数のコア３１４ａの集合体である。そして、多芯の光ファイバーケーブルでは、単芯の光ファイバーケーブルを使用した場合よりも、屈曲性がよくて、屈曲性が必要な場合に大変有利となり、かつ、高速光伝送が可能となって、より少ない信号本数でさらに屈曲性よく実装できる。
【０１４２】
なお、上記光ファイバーケーブル３０８として、ＰＣＳ（Polymer clad silica）ファイバーケーブルを用いてもよく、比較的安価に、高速光伝送が可能となり、より少ない信号本数でさらに屈曲性よく実装できる。
【０１４３】
図９Ａ、図９Ｂおよび図９Ｃに示すように、上記光学素子部３２２は、基板３２３と、この基板３２３の一面に取り付けられた発光素子３２４、受光素子３２５および増幅電気回路３２６と、上記発光素子３２４、上記受光素子３２５および上記増幅電気回路３２６を封止する樹脂部３２８とを有する。
【０１４４】
上記発光素子３２４、上記受光素子３２５および上記増幅電気回路３２６は、それぞれ、Ａｇペースト等の導電性樹脂によって上記基板３２３上に形成された電極に、ダイボンドされる。
【０１４５】
上記発光素子３２４、上記受光素子３２５および上記増幅電気回路３２６は、それぞれ、これらの電極と上記基板３２３上に形成された電極との間を、Ａｕ線等のワイヤー３２７によるボンディングで、電気的に接続される。
【０１４６】
上記樹脂部３２８は、例えば、エポキシ樹脂からなり、トランスファーモールドにて成型されている。上記樹脂部３２８の一面には、光学的結合の効率向上のため、レンズ３２８ａが設けられている。
【０１４７】
また、上記樹脂部３２８の一面には、上記レセプタクル３３１との固定のための固定用凸部３３０が設けられている。上記樹脂部３２８の一面には、上記レセプタクル３３１との位置決めのための位置決め用凸部３２９が設けられている。
【０１４８】
上記レンズ３２８、上記固定用凸部３３０および上記位置決め用凸部３２９は、トランスファーモールドにて成型されている。
【０１４９】
また、上記樹脂部３２８には、上記発光素子３２４と上記受光素子３２５との間に、光学的クロストーク除去を目的としたスリット３３４が設けられている。このスリット３３４は、上記樹脂部３２８の両側面に渡る長さで、かつ、上記基板３２３に到達する深さを有するが、光学的クロストークを除去できる程度の長さおよび深さを有していればよい。
【０１５０】
なお、上記発光素子３２４としては、例えば、ＬＥＤやＶＣＳＥＬを用いる。したがって、携帯電話機内部の光通信であるため、光ケーブル長が長くても１ｍ以内であるため、光ケーブルにプラスチックファイバーを使用した場合、発光波長が８５０nm等の、プラスチック光ファイバーの波長に対する透過率が小さい領域においても、使用可能である。上記受光素子３２５としては、ＰＤ、ＰＤＩＣを用いる。また、上記樹脂部３２８を、トランスファーモールドにて成型したが、ポッティング等の異なる方法で成型してもよい。また、上記固定用凸部３３０および上記位置決め用凸部３２９を、上記樹脂部３２８の上記レンズ３２８ａと反対側の他面に、設けるようにしてもよい。
【０１５１】
図１０Ａおよび図１０Ｂに示すように、上記レセプタクル３３１は、上記光学素子部３２２を嵌合する光学素子部収納部３３２を有し、この光学素子部収納部３３２は、貫通孔で形成されている。上記光学素子部３２２が上記レセプタクル３３１に嵌合された状態で、上記光学素子部３２２の一面と上記レセプタクル３３１の一面とは、略同一面に、配置される。上記光学素子部３２２は、上記レセプタクル３３１の底面側から挿入される。
【０１５２】
図１０Ａは、上記光学素子部３２２の上記固定用凸部３３０での上記レセプタクル３３１および上記光学素子部３２２の断面図を示し、図１０Ｂは、上記光学素子部３２２の上記位置決め用凸部３２９での上記レセプタクル３３１および上記光学素子部３２２の断面図を示す。
【０１５３】
図１０Ａに示すように、上記光学素子部収納部３３２の内面には、上記光学素子部３２２の上記固定用凸部３３０に係合する固定用凹部３３８が設けられている。つまり、上記レセプタクル３３１および上記光学素子部３２２は、それぞれ、上記レセプタクル３３１に上記光学素子部３２２が嵌合された状態で互いに係合して固定される固定用係合部としての上記固定用凸部３３０および上記固定用凹部３３８を有する。
【０１５４】
図１０Ｂに示すように、上記光学素子部収納部３３２の内面には、上記光学素子部３２２の上記位置決め用凸部３２９に係合する位置決め用凹部３３７が設けられている。つまり、上記レセプタクル３３１および上記光学素子部３２２は、それぞれ、上記レセプタクル３３１に上記光学素子部３２２が嵌合された状態で互いに係合して位置決めされる位置決め用係合部としての上記位置決め用凸部３２９および上記位置決め用凹部３３７を有する。
【０１５５】
図１１Ａと図１１Ｂに示すように、上記レセプタクル３３１は、上記光学素子部３２２を収納する上記光学素子部収納部３３２と、上記プラグ３０７を収納するプラグ収納部３３３とを有する。また、上記レセプタクル３３１には、上記第１筺体３０１や上記第２筺体３０２の上記基板３０９，３１０との位置決め用として、位置決め用凸部３３６が設けられている。
【０１５６】
次に、上記光学素子部３２２および上記プラグ３０７を、上記レセプタクル３３１に、組み付ける方法を説明する。
【０１５７】
図１２Ａに示すように、上記レセプタクル３３１に上記光学素子部３２２を上記レセプタクル３３１の底面から挿入する。上記光学素子部３２２には、上記位置決め用凸部３２９があるため、上記光学素子部収納部３３２に上記光学素子部３２２を挿入が止まるまで、すなわち、上記位置決め用凸部３２９と上記レセプタクル３３１の上記位置決め用凹部３３７とが面接触するまで挿入する。この状態で、上記レセプタクル３３１と上記光学素子部３２２との位置決めを行う。
【０１５８】
また、上記光学素子部３２２には、上記固定用凸部３３０を設けているため、上記レセプタクル３３１への上記光学素子部３２２の挿入により、上記光学素子部３２２の上記固定用凸部３３０と上記レセプタクル３３１の上記固定用凹部３３８が嵌合し、上記光学素子部３２２は、上記レセプタクル３３１に固定される。
【０１５９】
上記光学素子部３２２を上記レセプタクル３３１で嵌合保持して、このレセプタクル３３１を、上記位置決め用凸部３３６を利用して、上記第１筺体３０１や上記第２筺体３０２の上記基板３０９，３１０に実装し、電気的接続を行う。この電気的接続は、はんだ付けやリフローでのはんだ付けやコネクタを用いた接続でもよい。
【０１６０】
このとき、上記レセプタクル３３１の上面と上記光学素子部３２２の上面とが、略面一となる構造としているため、上記光学素子部３２２が、上記レセプタクル３３１の所定の位置で、位置決め固定されているか否かについて、確認することができる。
【０１６１】
その後、図１２Ｂに示すように、上記光ファイバーケーブル３０８の一方の上記プラグ３０７を、上記レセプタクル３３１の上記プラグ収納部３３３に、上記光ファイバーケーブル３０８の光軸方向に対して直交する方向、つまり、上記レセプタクル３３１の上面方向から嵌合させ、上記プラグ３０７を上記レセプタクル３３１に嵌合保持させる。つまり、上記レセプタクル３３１は、上記光ファイバーケーブル３０８の上記プラグ３０７、および、上記光学素子部３２２を、上記光ファイバーケーブル３０８の光軸方向に対して直交する方向から嵌合する。
【０１６２】
そして、上記プラグ３０７が上記レセプタクル３３１に嵌合された状態で、上記プラグ３０７の上面と上記レセプタクル３３１の上面とは、略同一面に、配置される。このため、上記プラグ３０７が、上記レセプタクル３３１の所定の位置で、位置決め固定されているか否かについて確認することができる。また、面一となるまで挿入して組み立てるため、挿入不足による光学結合の低下を防ぐことが可能である。
【０１６３】
なお、上記光学素子部３２２を、上記レセプタクル３３１の上面方向から挿入し、上記レセプタクル３３１に対して、位置決め固定を行うようにしてもよい。
【０１６４】
上記構成の携帯電話機によれば、上記光信号伝送部３００は、上記第１筺体３０１および上記第２筺体３０２のそれぞれに配置される上記光学素子部３２２と、上記第１筺体３０１と上記第２筺体３０２との間に架設されると共に両端にプラグ３０７が設けられた上記光ファイバーケーブル３０８と、上記第１筺体３０１および上記第２筺体３０２のそれぞれに配置されると共に、上記光学素子部３２２を嵌合保持しつつ上記光ファイバーケーブル３０８の上記プラグ３０７を嵌合保持して、上記光学素子部３２２と上記光ファイバーケーブル３０８とを光学的に結合するレセプタクル３３１とを有するので、上記プラグ３０７と上記レセプタクル３３１との嵌合部材以外に他の光接続部材を設ける必要がなくて、部品数を少なくして、簡単な構造にでき、かつ、光学結合の低下の要因がほとんどない。
【０１６５】
また、上記プラグ３０７および上記光学素子部３２２は、上記レセプタクル３３１に嵌合されるので、小型化を図れ、上記光ファイバーケーブル３０８と上記光学素子部３２２とを光学的に確実に結合できる。
【０１６６】
つまり、上記光ファイバーケーブル３０８を、上記第１筐体３０１や上記第２筐体３０２の上記基板３０９，３１０に接続するとき、上記光ファイバーケーブル３０８を上記レセプタクル３３１に嵌合するだけでよいため、作業性がよく、コンパクトな携帯電話機を実現できる。
【０１６７】
当然に、上記第１筐体３０１と上記第２筐体３０２との間を光信号により信号の伝送を行う上記光信号伝送部３００を有するので、上記光信号伝送部３００から電磁波ノイズの発生がなく、携帯電話機全体の電磁波ノイズを極端に低減することができる。また、上記光信号伝送部３００に対するシールドが不要になって、省スペースに対応できて、コンパクトな携帯電話機の内部の接続に適したものになる。
【０１６８】
また、上記レセプタクル３３１は、上記光ファイバーケーブル３０８の上記プラグ３０７、および、上記光学素子部３２２を、上記光ファイバーケーブル３０８の光軸方向に対して直交する方向から嵌合するので、上記レセプタクル３３１に、上記光ファイバーケーブル３０８の上記プラグ３０７、および、上記光学素子部３２２を、容易に、組み立てることができる。
【０１６９】
また、上記光ファイバーケーブル３０８は、上記ヒンジ部３０３の内部を通って、上記第１筺体３０１と上記第２筺体３０２との間に架設されるので、上記光ファイバーケーブル３０８を上記ヒンジ部３０３の内部に隠すことができて、上記第１筺体３０１および上記第２筺体３０２の可動域の制約が大きく減少して、上記第１筺体３０１および上記第２筺体３０２を自由自在に展開できる携帯電話機を実現できる。また、上記光ファイバーケーブル３０８に加わるストレスが無いため、高品質な伝送が可能となる。
【０１７０】
つまり、上記プラグ３０７を設けた状態で上記ヒンジ部３０３の内部空間を通すため、上記光ファイバーケーブル３０８を別の場所にて組み立て検査を行うことが可能となる。このため、上記光ファイバーケーブル３０８の不具合であるものの混入がなく、また、上記光ファイバーケーブル３０８の端面処理も確実に行うことができる。したがって、上記光ファイバーケーブル３０８での減衰が小さく、高品質な光伝送が可能となる。
【０１７１】
また、上記光ファイバーケーブル３０８の上記プラグ３０７および上記光学素子部３２２が上記レセプタクル３３１に嵌合された状態で、上記プラグ３０７の一面と上記光学素子部３２２の一面と上記レセプタクル３３１の一面とは、略同一面に、配置されているので、上記プラグ３０７および上記光学素子部３２２を上記レセプタクル３３１に組み立てるときに、上記プラグ３０７、上記光学素子部３２２および上記レセプタクル３３１を、面一にする必要があり、光学結合が確実に行われているか否かが容易に判断できる。
【０１７２】
また、上記光学素子部３２２は、発光素子３２４および受光素子３２５を有し、上記一方の光ファイバーケーブル３０８は、上記第１筺体３０１の上記発光素子３２４と上記第２筺体３０２の上記受光素子３２５とを、光学的に結合し、上記他方の光ファイバーケーブル３０８は、上記第１筺体３０１の上記受光素子３２５と上記第２筺体３０２の上記発光素子３２４とを、光学的に結合するので、双方向通信が可能なコンパクトな携帯電話機が実現できる。
【０１７３】
また、上記レセプタクル３３１の貫通孔である光学素子部収納部３３２に、上記光学素子部３２２が嵌合されるので、上記レセプタクル３３１の高さと上記光学素子部３２２の高さとを、略同一にできて、上記レセプタクル３３１の高さを低くできて、さらにコンパクトな携帯電話機を実現できる。
【０１７４】
また、上記レセプタクル３３１および上記光学素子部３２２は、それぞれ、上記レセプタクル３３１に上記光学素子部３２２が嵌合された状態で互いに係合して固定される固定用係合部としての上記固定用凸部３３０および上記固定用凹部３３８を有するので、上記光学素子部３２２と上記レセプタクル３３１が確実に嵌合して保持されるため、小型のレセプタクル３３１を実現でき、コンパクトな携帯電話機を実現できる。また別途に固定用部材が必要とならないため、安価な携帯電話機を実現できる。
【０１７５】
また、上記レセプタクル３３１および上記光学素子部３２２は、それぞれ、上記レセプタクル３３１に上記光学素子部３２２が嵌合された状態で互いに係合して位置決めされる位置決め用係合部としての上記位置決め用凸部３２９および上記位置決め用凹部３３７を有するので、上記レセプタクル３３１および上記光学素子部３２２の位置決めを確実に行え、小型かつ高伝送品質なレセプタクル３３１を実現でき、コンパクトかつ高性能な携帯電話機を実現できる。また、別途に位置決め用部材が必要とならないため、安価な携帯電話機を実現できる。
【０１７６】
なお、上記プラグ３０７の上記凸部３１１を凹部とし、上記レセプタクル３０６の凹部を凸部としてもよい。また、上記固定用凸部３３０を凹部とし、上記固定用凹部３３８を凸部としてもよい。また、上記位置決め用凸部３２９を凹部とし、上記位置決め用凹部３３７を凸部としてもよい。また、上記レセプタクル３３１の上記位置決め用凸部３３６を凹部としてもよい。
【０１７７】
（第６の実施形態）
図１３Ａと図１３Ｂは、この発明の携帯電話機の第６の実施形態を示している。上記第５の実施形態と相違する点を説明すると、この第６の実施形態では、プラグの構成が相違する。
【０１７８】
この第６の実施形態では、光ファイバーケーブル３０８は、二本あり、上記各光ファイバーケーブル３０８にプラグ３０７が設けられ、隣り合う上記プラグ３０７は、折り畳み自在な屈曲部３１５にて、連結されている。
【０１７９】
上記屈曲部３１５は、弾性を有した材料で構成されている。ここで、上記屈曲部３１５のみ弾性を有する材料を使用したが、上記プラグ３０７の全体の材料として、弾性を有する材料で構成してもよい。
【０１８０】
図１３Ａに示すように、上記プラグ３０７および上記屈曲部３１５の一体部材に外力が加わらない通常状態において、この一体部材は、（仮想線にて示す）上記ヒンジ部３０３の内部空間３０３ａの直径よりも大きく、このままでは、上記ヒンジ部３０３の内部空間３０３ａを通すことが不可能である。
【０１８１】
そこで、図１３Ｂに示すように、上記屈曲部３１５を折り畳むことで、上記一体部材を上記ヒンジ部３０３の内部空間３０３ａを通すことができる。このとき、上記屈曲部３１５は、弾性を有した材料で構成されているため、上記屈曲部３１５を折り曲げても、上記一体部材が破損することはない。
【０１８２】
したがって、上記隣り合うプラグ３０７を、上記屈曲部３１５にて、折り畳むことができて、上記ヒンジ部３０３の内部空間３０３ａが小さい場合においても、上記屈曲部３１５を折り畳みながら、上記光ファイバーケーブル３０８を上記ヒンジ部３０３の内部空間３０３ａに通すことができる。そして、上記ヒンジ部３０３の内部空間３０３ａを小さくすることができるので、よりコンパクトな携帯電話機を実現できる。
【０１８３】
なお、上記光ファイバーケーブル３０８を三本以上設けて、上記各光ファイバーケーブル３０８に上記プラグ３０７を設け、隣り合う上記プラグ３０７を上記屈曲部３１５にて連結するようにしてもよい。
【０１８４】
（第７の実施形態）
図１４Ａと図１４Ｂは、この発明の携帯電話機の第７の実施形態を示している。上記第６の実施形態と相違する点を説明すると、この第７の実施形態では、屈曲部の構成が相違する。つまり、この第７の実施形態では、屈曲部３１７は、略Ｖ字形状をした溝を有している。
【０１８５】
図１４Ａに示すように、上記プラグ３０７および上記屈曲部３１７の一体部材に外力が加わらない通常状態において、この一体部材は、（仮想線にて示す）上記ヒンジ部３０３の内部空間３０３ａの直径よりも大きく、このままでは、上記ヒンジ部３０３の内部空間３０３ａを通すことが不可能である。
【０１８６】
そこで、図１４Ｂに示すように、上記屈曲部３１７をＶ字溝で折り畳むことで、上記一体部材を上記ヒンジ部３０３の内部空間３０３ａを通すことができる。このとき、上記屈曲部３１７は、弾性を有した材料で構成されているため、上記屈曲部３１７を折り曲げても、上記一体部材が破損することはない。
【０１８７】
したがって、上記隣り合うプラグ３０７を、上記屈曲部３１７にて、折り畳むことができて、上記ヒンジ部３０３の内部空間３０３ａが小さい場合においても、上記屈曲部３１７を折り畳みながら、上記光ファイバーケーブル３０８を上記ヒンジ部３０３の内部空間３０３ａに通すことができる。そして、上記ヒンジ部３０３の内部空間３０３ａを小さくすることができるので、よりコンパクトな携帯電話機を実現できる。
【０１８８】
なお、上記光ファイバーケーブル３０８を三本以上設けて、上記各光ファイバーケーブル３０８に上記プラグ３０７を設け、隣り合う上記プラグ３０７を上記屈曲部３１７にて連結するようにしてもよい。また、上記屈曲部３１７の溝を、Ｕ字形状の溝や、蛇腹形状のような複数の溝を設けた形状としてもよい。
【０１８９】
（第８の実施形態）
図１５Ａと図１５Ｂは、この発明の携帯電話機の第８の実施形態を示している。上記第５の実施形態と相違する点を説明すると、この第８の実施形態では、プラグの構成が相違する。
【０１９０】
この第８の実施形態では、光ファイバーケーブル３０８は、二本あり、上記各光ファイバーケーブル３０８に、プラグ３１８，３１９が設けられ、隣り合う上記プラグ３１８，３１９は、それぞれ、互いに分離自在に係合する係合部を有する。
【０１９１】
つまり、一方の上記プラグ３１８は、係合部としてのプラグ嵌合用凸部３２０を有し、他方の上記プラグ３１９は、係合部としてのプラグ嵌合用凹部３２１を有する。上記プラグ嵌合用凸部３２０および上記プラグ嵌合用凹部３２１は、上記一方のプラグ３１９と上記他方のプラグ３２０とを上記光ファイバーケーブル３０８の光軸方向にスライドさせて嵌合させるように、形成されている。なお、上記係合部を、上記一方のプラグ３１９と上記他方のプラグ３２０とを上記光ファイバーケーブル３０８の光軸方向に直交する方向にスライドさせて嵌合させるように、形成してもよい。
【０１９２】
そして、上記光ファイバーケーブル３０８を（図７Ｂ参照の）上記ヒンジ部３０３の内部空間３０３ａに通すときに、上記隣り合うプラグ３１８，３１９を分離し、それぞれのプラグ３１８，３１９を上記ヒンジ部３０３の内部空間３０３ａに通し、その後、上記隣り合うプラグ３１８，３１９を係合し一体化して、上記レセプタクル３３１に嵌合できる。したがって、上記ヒンジ部３０３の内部空間３０３ａを小さくすることができるので、よりコンパクトな携帯電話機を実現できる。
【０１９３】
（第９の実施形態）
図１６Ａ、図１６Ｂおよび図１６Ｃは、この発明の携帯電話機の第９の実施形態を示している。上記第５の実施形態と相違する点を説明すると、この第９の実施形態では、第１筺体３０１および第２筺体３０２の折り畳みおよび展開の構成が相違する。
【０１９４】
つまり、上記第５の実施形態では、上記第１筺体３０１および上記第２筺体３０２のそれぞれの一辺側は、この一辺に平行な軸回りに揺動可能に、取り付けられている。これに対して、上記第９の実施形態では、第１筺体３０１および第２筺体３０２のそれぞれの一辺側は、この一辺に直交する軸回りに揺動可能に、取り付けられている。
【０１９５】
図１６Ａ〜図１６Ｃに示すように、上記第１筺体３０１および上記第２筺体３０２のそれぞれの一辺側は、この一辺に直交する軸を有する筒状のヒンジ部３０３Ａによって、取り付けられている。
【０１９６】
このとき、上記光ファイバーケーブル３０８は、上記ヒンジ部３０３Ａの内部空間３０３ｂを通って、上記第１筐体３０１の上記光学素子部３２２と上記第２筺体３０２の上記光学素子部３２２とを光学的に結合する。なお、その他の構造は、上記第５の実施形態と同じであるため、その説明を省略する。
【０１９７】
なお、上記携帯電話機の展開方法については、二つ折りの展開方法や、回転を伴う展開方法以外に、他の展開方法でもよい。
【０１９８】
（第１０の実施形態）
この発明の電子機器の一実施形態は、図示しないが、表示パネルを有する第１筐体と、操作部を有すると共に上記第１筐体に折り畳みまたは展開自在に連結された第２筐体と、上記第１筐体と上記第２筐体との間を光信号により信号の伝送を行う光信号伝送部とを有する。
【０１９９】
上記電子機器とは、例えば、ＰＤＡ、ノートＰＣ、ポータブルＤＶＤ、デジタル音楽機器などの携帯機器である。上記電子機器の上記第１筺体、上記第２筺体および上記光信号伝送部は、上記第１〜上記第９の実施形態で説明したものと同じである。
【０２００】
上記構成の電子機器によれば、上記第１筐体と上記第２筐体との間を光信号により信号の伝送を行う上記光信号伝送部を有するので、上記光信号伝送部から電磁波ノイズの発生がなく、電子機器全体の電磁波ノイズを極端に低減することができる。また、上記光信号伝送部に対するシールドが不要になって、省スペースに対応できて、コンパクト化を実現できる。
【０２０１】
なお、上記第１から上記第１０の実施の形態において、第１筺体と第２筺体との間の光伝送に限定されず、一つの筺体の内部での光伝送に、光信号伝送部を用いてもよい。
【図面の簡単な説明】
【０２０２】
【図１Ａ】本発明の携帯電話機の第１実施形態を示す正面断面図である。
【図１Ｂ】第１実施形態の携帯電話機の側面図である。
【図２Ａ】単芯プラスチック光ファイバーケーブルを示す斜視図である。
【図２Ｂ】多芯型のプラスチック光ファイバーケーブルを示す斜視図である。
【図３Ａ】本発明の携帯電話機の第２実施形態を示す正面断面図である。
【図３Ｂ】第２実施形態の携帯電話機の側面図である。
【図４Ａ】本発明の携帯電話機の第３実施形態を示す正面断面図である。
【図４Ｂ】第３実施形態の携帯電話機の側面図である。
【図５Ａ】第３実施形態の携帯電話機の要部の拡大側面図である。
【図５Ｂ】光受信部の拡大側面図である。
【図５Ｃ】光受信部の拡大平面図である。
【図６Ａ】本発明の携帯電話機の第５実施形態を示す正面図である。
【図６Ｂ】図６Ａの正面断面図である。
【図６Ｃ】図６Ａの側面図である。
【図７Ａ】光ファイバーケーブルおよびプラグを示す斜視図である。
【図７Ｂ】図７Ａの正面図である。
【図８Ａ】単芯プラスチック光ファイバーケーブルを示す断面図である。
【図８Ｂ】多芯型のプラスチック光ファイバーケーブルを示す断面図である。
【図９Ａ】光学素子部の正面図である。
【図９Ｂ】光学素子部の側面図である。
【図９Ｃ】光学素子部の上面図である。
【図１０Ａ】レセプタクルと光学素子部との嵌合状態を示すと共に光学素子部の固定用凸部での断面図である。
【図１０Ｂ】レセプタクルと光学素子部との嵌合状態を示すと共に光学素子部の位置決め用凸部での断面図である。
【図１１Ａ】レセプタクルの上面斜視図である。
【図１１Ｂ】レセプタクルの底面斜視図である。
【図１２Ａ】レセプタクルと光学素子部との嵌合を説明する底面斜視図である。
【図１２Ｂ】レセプタクルとプラグとの嵌合を説明する上面斜視図である。
【図１３Ａ】本発明の携帯電話機の第６実施形態を示すと共にプラグの展開状態を示す正面図である。
【図１３Ｂ】プラグの折り曲げ状態を示す正面図である。
【図１４Ａ】本発明の携帯電話機の第７実施形態を示すと共にプラグの展開状態を示す正面図である。
【図１４Ｂ】プラグの折り曲げ状態を示す正面図である。
【図１５Ａ】本発明の携帯電話機の第８実施形態を示すと共にプラグの離隔状態を示す斜視図である。
【図１５Ｂ】プラグの係合状態を示す正面図である。
【図１６Ａ】本発明の携帯電話機の第９実施形態を示す正面図である。
【図１６Ｂ】図１６Ａの正面断面図である。
【図１６Ｃ】図１６Ａの側面図である。
【図１７】従来の携帯電話機の正面図である。
【図１８Ａ】従来の携帯電話機の正面断面図である。
【図１８Ｂ】従来の携帯電話機の側面図である。
【図１９】同軸型フレキシブルケーブルの横断面図である。
【符号の説明】
【０２０３】
１  第１筐体
２  第２筐体
４  （第１筐体の）基板
５  （第２筐体の）基板
６  フレキシブルケーブル
７  （第１筐体の）コネクタ
８  （第２筐体の）コネクタ
１２  内部導体パターン
１３  スペーサ部
１４  ベース
１４ａ  帯状パターン
１４ｂ  信号伝送用パターン
１５  フ上側カバーレイ
１５ａ  帯状パターン
１６  上カバーレイ
１７  下カバーレイ
２２  スルーホール
１００  光信号伝送部
１０１  第１筐体
１０２  第２筐体
１０４  （第１筐体の）基板
１０５  （第２筐体の）基板
１０６  フレキシブルケーブル（光伝送媒体）
１０７  光送信部
１０８  光受信部
１２０  単芯プラスチック光ファイバーケーブル
１２１  多芯型プラスチック光ファイバーケーブル
１２２  カバーチューブ
１２３  単芯プラスチックファイバー
１２４  多芯型プラスチックファイバー
１２６  フレキシブ基板型導波路（光伝送媒体）
１２７  光送信部
１２８  光受信部
１３１  凸部
１３２  凹部
１３７  光送信部
１３７ａ  光軸
１３８  光受信部
１３８ａ  光軸
２０１  リード端子
２０５  レンズ
３００  光信号伝送部
３０１  第１筐体
３０２  第２筐体
３０３，３０３Ａ  ヒンジ部
３０３ａ，３０３ｂ  内部空間
３０４  表示部
３０５  カメラ
３０７  プラグ
３０８，３０８Ａ  光ファイバーケーブル（光伝送媒体）
３０９  （第１筐体の）基板
３１０  （第２筐体の）基板
３１１  凸部
３１２  単芯コア
３１３  被膜
３１４  多芯コア
３１４ａ  コア
３１５，３１７  屈曲部
３１８、３１９  プラグ
３２０  プラグ嵌合用凸部（係合部）
３２１  プラグ嵌合用凹部（係合部）
３２２  光学素子部
３２３  基板
３２４  発光素子
３２５  受光素子
３２６  増幅電気回路
３２７  ワイヤー
３２８  樹脂部
３２８ａ  レンズ
３２９  位置決め用凸部（位置決め用係合部）
３３０  固定用凸部（固定用係合部）
３３１  レセプタクル
３３２  光学素子部収納部
３３３  プラグ収納部
３３４  スリット
３３６  位置決め用凸部
３３７  位置決め用凹部（位置決め用係合部）
３３８  固定用凹部（固定用係合部）
【図１Ａ】
2007267358.tif 000003
【図１Ｂ】
2007267358.tif 000004
【図２Ａ】
2007267358.tif 000005
【図２Ｂ】
2007267358.tif 000006
【図３Ａ】
2007267358.tif 000007
【図３Ｂ】
2007267358.tif 000008
【図４Ａ】
2007267358.tif 000009
【図４Ｂ】
2007267358.tif 000010
【図５Ａ】
2007267358.tif 000011
【図５Ｂ】
2007267358.tif 000012
【図５Ｃ】
2007267358.tif 000013
【図６Ａ】
2007267358.tif 000014
【図６Ｂ】
2007267358.tif 000015
【図６Ｃ】
2007267358.tif 000016
【図７Ａ】
2007267358.tif 000017
【図７Ｂ】
2007267358.tif 000018
【図８Ａ】
2007267358.tif 000019
【図８Ｂ】
2007267358.tif 000020
【図９Ａ】
2007267358.tif 000021
【図９Ｂ】
2007267358.tif 000022
【図９Ｃ】
2007267358.tif 000023
【図１０Ａ】
2007267358.tif 000024
【図１０Ｂ】
2007267358.tif 000025
【図１１Ａ】
2007267358.tif 000026
【図１１Ｂ】
2007267358.tif 000027
【図１２Ａ】
2007267358.tif 000028
【図１２Ｂ】
2007267358.tif 000029
【図１３Ａ】
2007267358.tif 000030
【図１３Ｂ】
2007267358.tif 000031
【図１４Ａ】
2007267358.tif 000032
【図１４Ｂ】
2007267358.tif 000033
【図１５Ａ】
2007267358.tif 000034
【図１５Ｂ】
2007267358.tif 000035
【図１６Ａ】
2007267358.tif 000036
【図１６Ｂ】
2007267358.tif 000037
【図１６Ｃ】
2007267358.tif 000038
【図１７】
2007267358.tif 000039
【図１８Ａ】
2007267358.tif 000040
【図１８Ｂ】
2007267358.tif 000041
【図１９】
2007267358.tif 000042